(57)【要約】【課題】従来の映像表示装置では、テーパープレートをディスプレイパネルの前面基板の表面に装着することにより非表示領域をなくしたマルチビジョンが提案されているが、鮮明な画質が提供できないという問題があった。【解決手段】画像拡大機能を持つテーパープレート２０を、プラズマディスプレイパネルを構成する前面基板として構成することにより、非表示領域のない、鮮鋭感のある良好な画質を実現するマルチビジョンを提供する。【選択図】図１
2009016293.tif 000002
【特許請求の範囲】
【請求項１】
入力される映像信号に対応した映像光を生成するフラットな表示部と、この表示部の外周に位置し映像光を生成しない非表示部とを有する背面板と、
前記背面板の前記表示部の前面に設けられ、前記映像光が入射する入射面と前記映像光が出射する出射面とが異なる面積を持つことで拡大機能を有するテーパープレートとを備え、
前記テーパープレートは、前記出射面が前記背面板の前記非表示部を覆うことを特徴とする映像表示装置。
【請求項２】
内壁に蛍光体を有し多数個配列されたセルと、これらのセルに電圧を印加してプラズマ放電させるための第１の電極とを有して、入力される映像信号に対応した映像光を生成するフラットな表示部と、この表示部の外周に位置し映像光を生成しない非表示部とを有する背面板と、
前記背面板の前記表示部の前面に設けられ、前記映像光が入射する入射面と前記映像光が出射する出射面とが異なる面積を持つことで拡大機能を有するテーパープレートとを備え、
前記テーパープレートは、前記入射面に前記第１の電極に対向する第２の電極を有し、
前記非表示部には、前記第２の電極から引き出された配線基板が配置され、
前記テーパープレートは、前記出射面が前記背面板の前記非表示部を覆うことを特徴とする映像表示装置。
【請求項３】
請求項１または請求項２に記載の映像表示装置を複数個並べ、入力される１つの画像に対応する映像信号を複数の前記映像表示装置に分割して表示するマルチビジョン装置。
【発明の詳細な説明】
【技術分野】
【０００１】
本発明は、プラズマディスプレイパネルなどのフラットディスプレイパネルを拡大表示するための映像表示装置、およびそれらを多数使用したマルチビジョン装置に関するものである。
【背景技術】
【０００２】
近年プラズマディスプレイパネルや液晶ディスプレイ装置の普及に伴い、ディスプレイの大画面化が進んでいる。しかしながら、１００インチを超える大画面や、複数の映像装置からの複合画像表示を行う所謂マルチビジョンは、投写型映像装置（リアプロジェクター）で行われている場合が多い。図４（ａ）に示すように、投射光学系１０１によるマルチビジョンは、スクリーン１０２までのある程度の投射距離を必要とするため、これを用いてマルチビジョンを構成すると、図４（ｂ）に示したように奥行きが大きくなり、広い設置面積を必要とする。
【０００３】
そこで、現在普及が進んでいるプラズマディスプレイパネル等のフラットディスプレイパネルを用いてマルチビジョンを構成すれば、奥行きを小さくすることができ、設置面積が小さくできる。しかしながら、図５に示すように、フラットディスプレイパネル１１０は、観察者側に向かって映像を表示する表示部である前面基板１３０と、非表示部１４０とにより構成され、表示部の周りを非表示部が取り囲むように形成されている。
【０００４】
これは、図６に示すように、前面基板１３０の下面に設けられた金属電極１３１および透明電極１３２より引き出された配線基板１４１等があるため、非表示部１４０を生じている。この非表示部１４０は、複数のフラットディスプレイパネル１１０でマルチビジョンを構成したとき、フラットディスプレイパネル１１０間の境界で、図４（ｂ）に示すような非表示部である所謂目地部分１０３が大きくなり、マルチビジョンとして観察者側からは見難いものとなる。
【０００５】
この非表示部である目地部分を小さくする手段として、例えば特許文献１に示されている光ファイバープレートを用いた映像表示装置の例がある。これを、図７を用いて説明する。
【０００６】
この映像表示装置は、図７（ａ）に示すように、入射側端面の面積と出射側端面の面積が異なることで拡大機能を有する光ファイバープレート（以後、テーパープレートと称す）１５０の入射面１５１を、フラットディスプレイパネル１１０の前面基板１３０の観察者側の面に接触させることにより、前面基板１３０に表示した映像を、非表示部１４０と同じか、それ以上に拡大させ、非表示部１４０を覆って観察者側より見えなくする。図７（ｂ）は、図７（ａ）のＡ部を拡大したもので、前面基板１３０を通過してきた光は、テーパープレート１５０の入射面１５１から入射し、テーパープレート内部のクラッド１５３で反射を繰り返しながらコア１５４内を進み、出射面１５２から出射される。
【０００７】
このように構成した映像表示装置でマルチビジョンを形成すれば、境界に目地部分１０３のない、見やすいマルチビジョンが実現できることとなる。
【特許文献１】特開平７−２４５７３３号公報
【発明の開示】
【発明が解決しようとする課題】
【０００８】
しかしながら、このような、フラットディスプレイパネル１１０の前面基板１３０にテーパープレート１５０を接触させる方法では、鮮明な画質を得ることは難しい。その理由を、図６と図８を用いて説明する。
【０００９】
図６は従来のプラズマディスプレイパネルの略断面図である。各画素において、背面板１２０に設けられた電極１２１と前面基板１３０に設けられた金属電極１３１および透明電極１３２との間に印加された電圧によって、蛍光体１２２が発光することにより映像光を得ているが、この蛍光体による発光は完全拡散光になる。図８に従来の映像表示装置による光の拡散状態を示している。背面板１２０の中の蛍光体からの発光は、前面基板１３０の下部の発光部１３０ａより発光したものと近似できるが、前面基板１３０を通過する間に拡散される。同様に、隣の発光部１３０ｂより発光される光も拡散されるため、テーパープレート１５０に入射する光は隣画素と混合した、所謂クロストークした光が入る。そのため、観察者側から見る映像は、解像感やコントラスト感のない不鮮明なものとなる。この傾向は、前面基板１３０の厚みが多ければ多いほど顕著になる。本発明はかかる上記課題を解決し、鮮明な画像を得るためのものである。
【００１０】
本発明は、上記の課題を考慮し、非表示領域のない、目地の存在を感じさせないとともに鮮鋭感のある良好な画質を実現するマルチビジョン装置を提供することを目的とする。
【課題を解決するための手段】
【００１１】
本発明は、画像拡大機能を持つテーパープレートをフラットディスプレイパネルを構成する前面基板として用いるものである。こうすることによりテーパープレート下部が発光部となり、そのまま光が拡散することなく、各々のテーパープレートのファイバーのコア部分に入射するため、観察者に鮮明な画像を提供することができる。
【発明の効果】
【００１２】
本発明による映像表示装置によれば、複数のフラットパネルディスプレイにより構成されるマルチビジョンにおいて、その境界で非表示領域を生ずることなく、所謂目地がなくなるため、複数のディスプレイにまたがる映像であっても、違和感なく、しかも高解像力で高コントラストな、鮮明な画像を実現できる。
【００１３】
又、ディスプレイ単体としても高画質画像を有し、非表示領域のない、又は有効表示領域のみを有する所謂額縁のないディスプレイも併せて提供できる。
【発明を実施するための最良の形態】
【００１４】
以下、図面を参照して本発明の実施の形態について詳細に説明する。
【００１５】
（実施の形態１）
図１は、本発明の実施の形態１における映像表示装置としてのプラズマディスプレイパネルの断面を示す。図２は同プラズマディスプレイパネルにおける発光面からの光の作用を示したものである。
【００１６】
図１に示した本実施の形態の映像表示装置としてのプラズマディスプレイパネルは、内壁に蛍光体１２を有し多数個配列されたセル１３を有する背面板１０と前面基板としてのテーパープレート２０によって構成されている。前述したようにテーパープレート２０は、入射面２１と出射面２２が異なる面積を持つことで拡大機能を持つ。又、入射面２１と出射面２２は略平行になっている。
【００１７】
テーパープレート２０の入射面２１は、画素ピッチ（図示せず）に沿って金属電極３１や透明電極３２を備え、そのプレートの端面から接続用の配線基板３０が引き出されている。テーパープレート２０の上部、出射面２２のサイズは、この配線基板３０を覆う大きさになっている。つまりテーパープレート２０の拡大率は、配線基板３０を覆うような拡大率となるため、観察者側からは非表示部のない、表示部のみの有効画面だけが観察できるようになる。
【００１８】
電極１１と金属電極３１および透明電極３２との間でセル１３に電圧を印加すると、プラズマ放電による紫外線エネルギーにより蛍光体１２が発光する。発光した光は、図２に示すように、テーパープレート２０の下部の発光部２０ａからの発光として近似できる。この発光部２０ａからの光は、拡散することなくテーパープレート２０のコア２４に入射し、クラッド２３で反射を繰り返しながらコア２４内を進み出射面２２から出射するため、観察者側からは、出射面２２を通して解像力感やコントラスト感のある、鮮明な画像を観察することができる。
【００１９】
図３は、本実施の形態によるプラズマディスプレイパネルで構成したマルチビジョン装置を示す。各々のディスプレイ間の境界に非表示部、すなわち目地がなく、複数のディスプレイを使った一体映像でも、非常に見やすく、鮮鋭感のある良質な画像が提供できる。又、奥行きの少ないフラットディスプレイによるため、設置面積も少なくてすむようになっている。
【００２０】
本実施の形態においては、その効果が顕著なプラズマディスプレイパネルについて説明したが、どのディスプレイにおいても、その視野角を得るために、拡散性の光を発するようになっているため、鮮明な画像を得るための手段として、ディスプレイの種類にかかわらず本発明が有効になる。
【００２１】
例えば、液晶ディスプレイ装置においても有効な手段となる。
【産業上の利用可能性】
【００２２】
本発明の映像表示装置は画質が鮮明で設置面積が少なくて済み、既存のディスプレイ装置では実現できない大型映像を提供することができ、監視用、広告用、イベント用等、さまざまな分野で活用が期待できる。
【図面の簡単な説明】
【００２３】
【図１】本発明の実施の形態１に係る映像表示装置の構造を示した略断面図
【図２】本発明の実施の形態１に係る映像表示装置の光の作用を表した略断面図
【図３】本発明の実施の形態１に係る映像表示装置によるマルチビジョン装置の概略図
【図４】従来例のプロジェクターによるマルチビジョン装置の概略図
【図５】従来例によるフラットディスプレイパネルの略断面図
【図６】従来例によるフラットディスプレイパネルの構成を示す略断面図
【図７】従来例によるフラットディスプレイパネルの構造を示す略断面図
【図８】従来例における光の作用を表した略断面図
【符号の説明】
【００２４】
１０  背面板
１１  電極
１２  蛍光体
１３  セル
２０  テーパープレート
２１  入射面
２２  出射面
２３  クラッド
２４  コア
３０  配線基板
３１  金属電極
３２  透明電極
１０１  投射光学系
１０２  スクリーン
１０３  目地部分
１１０  フラットディスプレイパネル
１２０  背面板
１２１  電極
１２２  蛍光体
１３０  前面基板
１３１  金属電極
１３２  透明電極
１４０  非表示部
１４１  配線基板
１５０  テーパープレート
１５１  入射面
１５２  出射面
１５３  クラッド
１５４  コア
【図１】
2009016293.tif 000003
【図２】
2009016293.tif 000004
【図３】
2009016293.tif 000005
【図４】
2009016293.tif 000006
【図５】
2009016293.tif 000007
【図７】
2009016293.tif 000008
【図８】
2009016293.tif 000009
【図６】
2009016293.tif 000010